(57)【特許請求の範囲】
【請求項１】
一方面に接着部が設けられた外層シートと、
前記接着部を介して外層シートに対して部分的に又は全面が剥離可能に貼合された内層シートと、を備える情報隠蔽用シートであって、
前記情報隠蔽用シートは折り線又は折り筋を有し、この折り線又は折り筋を介して内層シートを内側にして折り返し可能であり、
前記内層シートは、少なくとも前記折り線で分けられる一方領域の周縁部が他の範囲から易切断線により分離可能とされ、
前記外層シートは、内層シートの前記周縁部で被覆される部分に非剥離性の粘着剤が配されているとともに、この粘着剤配設部が易切断線によって分離可能とされ、
前記内層シートを複数枚有し、各内層シート同士が周縁部を除き剥離可能に貼合されているとともに、最も外層シートに近い内層シートが外層シートと貼合され、
各内層シートは、少なくとも前記折り線で分けられる一方領域の周縁部が他の範囲から分離可能とされ、
かつ、隣接する内層シート同士は、前記周縁部においては剥離不能に接着されている、
ことを特徴とする情報隠蔽用シート。
【請求項２】
一方面に接着部が設けられた外層シートと、
前記接着部を介して外層シートに対して部分的に又は全面が剥離可能に貼合された内層シートと、を備える情報隠蔽用シートであって、
前記情報隠蔽用シートは折り線又は折り筋を有し、この折り線又は折り筋を介して内層シートを内側にして折り返し可能であり、
前記内層シートは、少なくとも前記折り線で分けられる一方領域の周縁部に熱又は圧力により剥離不能又は再剥離可能に接着する接着部が配され、この接着部が易切断線によって分離可能とされ、
前記外層シートは、内層シートの前記接着部と重なる部分が易切断線によって分離可能とされ、
前記内層シートを複数枚有し、各内層シート同士が周縁部を除き剥離可能に貼合されているとともに、最も外層シートに近い内層シートが外層シートと貼合され、
各内層シートは、少なくとも前記折り線で分けられる一方領域の周縁部が他の範囲から分離可能とされ、
かつ、隣接する内層シート同士は、前記周縁部においては剥離不能に接着されている、
ことを特徴とする情報隠蔽用シート。
【請求項３】
一方面に接着部が設けられた外層シートと、
前記接着部を介して外層シートに対して部分的に又は全面が剥離可能に貼合された内層シートと、を備える情報隠蔽用シートであって、
前記情報隠蔽用シートは折り線又は折り筋を有し、この折り線又は折り筋を介して内層シートを内側にして折り返し可能であり、
前記内層シートは、少なくとも前記折り線で分けられる一方領域の周縁部が他の範囲から易切断線により分離可能とされ、
前記外層シートは、内層シートの前記周縁部で被覆される部分に非剥離性の粘着剤が配されているとともに、この粘着剤配設部が易切断線によって分離可能とされ、
前記内層シートの折り線近傍が、他の部分よりも強い剥離強度で隣接するシートに対して貼合されている、
ことを特徴とする情報隠蔽用シート。
【請求項４】
一方面に接着部が設けられた外層シートと、
前記接着部を介して外層シートに対して部分的に又は全面が剥離可能に貼合された内層シートと、を備える情報隠蔽用シートであって、
前記情報隠蔽用シートは折り線又は折り筋を有し、この折り線又は折り筋を介して内層シートを内側にして折り返し可能であり、
前記内層シートは、少なくとも前記折り線で分けられる一方領域の周縁部に熱又は圧力により剥離不能又は再剥離可能に接着する接着部が配され、この接着部が易切断線によって分離可能とされ、
前記外層シートは、内層シートの前記接着部と重なる部分が易切断線によって分離可能とされ、
前記内層シートの折り線近傍が、他の部分よりも強い剥離強度で隣接するシートに対して貼合されている、
ことを特徴とする情報隠蔽用シート。
【請求項５】
一方面に接着部が設けられた外層シートと、
前記接着部を介して外層シートに対して部分的に又は全面が剥離可能に貼合された内層シートと、を備える情報隠蔽用シートであって、
前記情報隠蔽用シートは折り線又は折り筋を有し、この折り線又は折り筋を介して内層シートを内側にして折り返し可能であり、
前記内層シートは、折り線で分けられる一方領域の周縁部が他の範囲から易切断線により分離可能とされ、
前記外層シートは、内層シートの前記周縁部で被覆される部分に非剥離性の粘着剤が配されているとともに、この粘着剤配設部が易切断線によって分離可能とされ、
かつ、前記内層シートの前記折り線で分けられる他方領域にも易切断線を有し、その易切断線が前記折り線で折り返した状態における前記一方領域の易切断線が重なる範囲以内にある、
ことを特徴とする情報隠蔽用シート。
【請求項６】
一方面に接着部が設けられた外層シートと、
前記接着部を介して外層シートに対して部分的に又は全面が剥離可能に貼合された内層シートと、を備える情報隠蔽用シートであって、
前記情報隠蔽用シートは折り線又は折り筋を有し、この折り線又は折り筋を介して内層シートを内側にして折り返し可能であり、
前記内層シートは、折り線で分けられる一方領域の周縁部に熱又は圧力により剥離不能又は再剥離可能に接着する接着部が配され、この接着部が易切断線によって分離可能とされ、
前記外層シートは、内層シートの前記接着部と重なる部分が易切断線によって分離可能とされ、
かつ、前記内層シートの前記折り線で分けられる他方領域にも易切断線を有し、その易切断線が前記折り線で折り返した状態における前記一方領域の易切断線が重なる範囲以内にある、
ことを特徴とする情報隠蔽用シート。
【請求項７】
易切断線が、折り線又は折り筋を介して対称に配されている請求項５又は６に記載の情報隠蔽用シート。
【請求項８】
内層シートは、折り線で分けられる一方領域であって、前記折り線と易切断線とで囲まれる他方領域と分離可能とされるとともに、外層シートより剥離可能とされている、請求項１又は２記載の情報隠蔽用シート。
【請求項９】
内層シートおよび外層シートの少なくとも一枚がカーボン処理された紙であるか、又は複数枚が圧力により複写可能なノーカーボン紙であるか、あるいは複数枚がカーボン処理された紙とノーカーボン紙を組合せたものである請求項１〜８の何れか１項に記載の情報隠蔽用シート。
【発明の詳細な説明】
【技術分野】
【０００１】
本発明は、印字・印刷した情報を隠蔽した状態にできる情報隠蔽用シートに関する。
【背景技術】
【０００２】
企業から発送するダイレクトメールや、給与明細等の親展性の高い情報を隠蔽して送付するために隠蔽情報シートがよく利用される。
【０００３】
隠蔽情報用シートは、下記特許文献１及び２に代表されるように、一方面や所定範囲に隠蔽すべき情報を記入し、他方の面や所定の範囲に送付先や宛名などを記入し、前記隠蔽すべき情報を記入した部分が内面となるよう折り畳むとともに接着等によって封止できるようにしたものであり、情報を隠蔽した状態で受取人に送付し、これを受け取った受取人が開封して内面の情報を読み取るようにして使用される。
【０００４】
この種の情報隠蔽用シートでは、その利便性や伝達情報量を高めるべく種々の工夫がなされている。例えば、特許文献１に示す例では、複数回の折り畳みを可能にして情報記載部分の面積を多くしている。また、特許文献２に示す例では、折り畳みと同時に封止を達成するための接着剤を保護する保護シートが「控え書」となるように構成されている。
【特許文献１】特開平１１−１０５４６７
【特許文献２】特開平９−９５３４２
【発明の開示】
【発明が解決しようとする課題】
【０００５】
しかし、引用文献１に示す例では、多くの情報を隠蔽するためには折り畳み回数を多くする必要があるとともに、読み取りの際には当該折り畳み部分が帯状となって展開されるため多くの情報を隠蔽できるものの見にくいものであった。さらに、折り畳みに際して、端部の切り離し操作を行う必要があるなど煩雑な操作を要する。
さらに、「控え書」となりうる部分が粘着面の被覆紙を兼ねているためインパクトプリンタによる印刷がし難い構造となっている。
【０００６】
引用文献２の例では、「控え書」をとることやノンインパクトプリンタを用いることはできるが、隠蔽情報については見開き頁しか情報を記載する部分がなく、多くの情報を伝達できるものではない。
【０００７】
そこで、本発明の主たる課題は、従来の情報隠蔽用シートで可能であった、「控え書」を採ることを可能にしつつ、隠蔽情報や不変情報などの伝達すべき情報の記載可能面を多くし、さらには、ノンインパクトプリンタ及びインパクトプリンタの双方に対応可能であり、そのうえ利便性よく受取人が情報を読み取る際に冊子状の形態となる隠蔽情報シートを提供することにある。ノンインパクトプリンタとしては、電子写真方式、インクジェット方式、熱転写方式等  特に制限はない。
【課題を解決するための手段】
【０００８】
上記課題を解決した本発明およびその作用効果は次載のとおりである。
【０００９】
＜請求項１記載の発明＞
一方面に接着部が設けられた外層シートと、
前記接着部を介して外層シートに対して部分的に又は全面が剥離可能に貼合された内層シートと、を備える情報隠蔽用シートであって、
前記情報隠蔽用シートは折り線又は折り筋を有し、この折り線又は折り筋を介して内層シートを内側にして折り返し可能であり、
前記内層シートは、少なくとも前記折り線で分けられる一方領域の周縁部が他の範囲から易切断線により分離可能とされ、
前記外層シートは、内層シートの前記周縁部で被覆される部分に非剥離性の粘着剤が配されているとともに、この粘着剤配設部が易切断線によって分離可能とされ、
前記内層シートを複数枚有し、各内層シート同士が周縁部を除き剥離可能に貼合されているとともに、最も外層シートに近い内層シートが外層シートと貼合され、
各内層シートは、少なくとも前記折り線で分けられる一方領域の周縁部が他の範囲から分離可能とされ、
かつ、隣接する内層シート同士は、前記周縁部においては剥離不能に接着されている、
ことを特徴とする情報隠蔽用シート。
【００１０】
＜請求項２記載の発明＞
一方面に接着部が設けられた外層シートと、
前記接着部を介して外層シートに対して部分的に又は全面が剥離可能に貼合された内層シートと、を備える情報隠蔽用シートであって、
前記情報隠蔽用シートは折り線又は折り筋を有し、この折り線又は折り筋を介して内層シートを内側にして折り返し可能であり、
前記内層シートは、少なくとも前記折り線で分けられる一方領域の周縁部に熱又は圧力により剥離不能又は再剥離可能に接着する接着部が配され、この接着部が易切断線によって分離可能とされ、
前記外層シートは、内層シートの前記接着部と重なる部分が易切断線によって分離可能とされ、
前記内層シートを複数枚有し、各内層シート同士が周縁部を除き剥離可能に貼合されているとともに、最も外層シートに近い内層シートが外層シートと貼合され、
各内層シートは、少なくとも前記折り線で分けられる一方領域の周縁部が他の範囲から分離可能とされ、
かつ、隣接する内層シート同士は、前記周縁部においては剥離不能に接着されている、
ことを特徴とする情報隠蔽用シート。
【００１１】
＜請求項３記載の発明＞
一方面に接着部が設けられた外層シートと、
前記接着部を介して外層シートに対して部分的に又は全面が剥離可能に貼合された内層シートと、を備える情報隠蔽用シートであって、
前記情報隠蔽用シートは折り線又は折り筋を有し、この折り線又は折り筋を介して内層シートを内側にして折り返し可能であり、
前記内層シートは、少なくとも前記折り線で分けられる一方領域の周縁部が他の範囲から易切断線により分離可能とされ、
前記外層シートは、内層シートの前記周縁部で被覆される部分に非剥離性の粘着剤が配されているとともに、この粘着剤配設部が易切断線によって分離可能とされ、
前記内層シートの折り線近傍が、他の部分よりも強い剥離強度で隣接するシートに対して貼合されている、
ことを特徴とする情報隠蔽用シート。
【００１２】
＜請求項４記載の発明＞
一方面に接着部が設けられた外層シートと、
前記接着部を介して外層シートに対して部分的に又は全面が剥離可能に貼合された内層シートと、を備える情報隠蔽用シートであって、
前記情報隠蔽用シートは折り線又は折り筋を有し、この折り線又は折り筋を介して内層シートを内側にして折り返し可能であり、
前記内層シートは、少なくとも前記折り線で分けられる一方領域の周縁部に熱又は圧力により剥離不能又は再剥離可能に接着する接着部が配され、この接着部が易切断線によって分離可能とされ、
前記外層シートは、内層シートの前記接着部と重なる部分が易切断線によって分離可能とされ、
前記内層シートの折り線近傍が、他の部分よりも強い剥離強度で隣接するシートに対して貼合されている、
ことを特徴とする情報隠蔽用シート。
【００１３】
＜請求項５記載の発明＞
一方面に接着部が設けられた外層シートと、
前記接着部を介して外層シートに対して部分的に又は全面が剥離可能に貼合された内層シートと、を備える情報隠蔽用シートであって、
前記情報隠蔽用シートは折り線又は折り筋を有し、この折り線又は折り筋を介して内層シートを内側にして折り返し可能であり、
前記内層シートは、折り線で分けられる一方領域の周縁部が他の範囲から易切断線により分離可能とされ、
前記外層シートは、内層シートの前記周縁部で被覆される部分に非剥離性の粘着剤が配されているとともに、この粘着剤配設部が易切断線によって分離可能とされ、
かつ、前記内層シートの前記折り線で分けられる他方領域にも易切断線を有し、その易切断線が前記折り線で折り返した状態における前記一方領域の易切断線が重なる範囲以内にある、
ことを特徴とする情報隠蔽用シート。
【００１４】
＜請求項６記載の発明＞
一方面に接着部が設けられた外層シートと、
前記接着部を介して外層シートに対して部分的に又は全面が剥離可能に貼合された内層シートと、を備える情報隠蔽用シートであって、
前記情報隠蔽用シートは折り線又は折り筋を有し、この折り線又は折り筋を介して内層シートを内側にして折り返し可能であり、
前記内層シートは、折り線で分けられる一方領域の周縁部に熱又は圧力により剥離不能又は再剥離可能に接着する接着部が配され、この接着部が易切断線によって分離可能とされ、
前記外層シートは、内層シートの前記接着部と重なる部分が易切断線によって分離可能とされ、
かつ、前記内層シートの前記折り線で分けられる他方領域にも易切断線を有し、その易切断線が前記折り線で折り返した状態における前記一方領域の易切断線が重なる範囲以内にある、
ことを特徴とする情報隠蔽用シート。
【００１５】
＜請求項７記載の発明＞
易切断線が、折り線又は折り筋を介して対称に配されている請求項５又は６に記載の情報隠蔽用シート。
【００１６】
＜請求項８記載の発明＞
内層シートは、折り線で分けられる一方領域であって、前記折り線と易切断線とで囲まれる他方領域と分離可能とされるとともに、外層シートより剥離可能とされている、請求項１又は２記載の情報隠蔽用シート。
＜請求項９記載の発明＞
内層シートおよび外層シートの少なくとも一枚がカーボン処理された紙であるか、又は複数枚が圧力により複写可能なノーカーボン紙であるか、あるいは複数枚がカーボン処理された紙とノーカーボン紙を組合せたものである請求項１〜８の何れか１項に記載の情報隠蔽用シート。
【発明の効果】
【００１７】
以上詳述とおり、本発明によれば、従来の情報隠蔽用シートで可能であった、「控え書」を採ることを可能にしつつ、隠蔽情報や不変情報などの伝達すべき情報の記載可能面を多くし、さらには、カーボン紙または、ノーカーボン紙を使用することにより、複写可能となり、控え等を容易に取ることができる。また、カーボン紙とノーカーボン紙を組み合わせることで、内層シートの枚数が複数枚となっても確実に複写物を得ることが出来る。そのため、ノンインパクトプリンタ及びインパクトプリンタの双方に対応可能であり、そのうえ利便性よく受取人が情報を読み取る際に冊子状の形態となる情報隠蔽用シートが提供される。
【発明を実施するための最良の形態】
【００１８】
次いで、本発明の実施の形態を図面を参照しながら以下に詳述する。
【００１９】
＜第１の実施の形態＞
図１は、本形態の情報隠蔽用シートＸ１の平面図である。
本形態の情報隠蔽用シートＸ１は、外層シート１の一方面に対してこれと同形状かつ同じ大きさの内層シート２が、前記外層シート１と周縁を合わせて接着部を介して貼合されている。接着部は外層シート１の内層シート２対向面１Ａに適宜の接着剤が塗布されて設けられている。
他方、この情報隠蔽用シートＸ１は、折り線又は折り筋を有し、この折り線等３を介して前記内層シート２を内側にして折り返し可能とされている。
【００２０】
前記折り線等３は、例えば、ミシン目線、折り返しを示唆する情報を付記した印刷線、折り癖が付けられた線などである。
他方、前記内層シート２の折り線３近傍は、他の部分よりも強い剥離強度で外層シート１に対して貼合されている。本形態の情報隠蔽シートＸ１においては、好ましい形態として、前記折り線等３の近傍が外層シート１に対して剥離不能な程度に強固に、その他の部分については剥離可能な剥離強度をもって貼合されている。
【００２１】
このような外層シート１と内層シート２との部分的な接着強度の相違は、外層シート１に塗布する接着剤の種類を部分的に相違させたり、離型剤の網点印刷による部分的な糊殺し技術により達成できる。
【００２２】
本形態Ｘ１においては前記折り線等３により折り返したときに、前記内層シート２の一部が露出するように、前記折り線等３は、紙面の中心から一方縁に偏位して形成されている。
【００２３】
そして、本形態では、その露出される部分２０には宛名情報等の非隠蔽情報を記入する欄（図示例では宛名欄Ａ）が形成されており、前記外層シート１の内層シート２対向面１Ａと、内層シート２の外層シート１非対向面２Ａと、内層シートの外層シート対向面２Ｂとに、隠蔽情報を印刷したり記入したりする隠蔽情報記入部（図示しない）が形成されている。
【００２４】
なお、隠蔽情報記入部については、例えば、親展情報や個人情報等の情報を読み取る読み取り人毎に異なる可変情報を記入するための欄であってもよいし、不特定多数に通知するための印刷された不変情報であってもよい。これらの情報の種類は、本発明において限定されるものではない。
【００２５】
好ましい形態としては、外層シート１の内層シート２対向面１Ａ及び内層シート１の外層シート１対向面２Ｂに、グラビア印刷等による不変情報記入部が形成され、内層シート２の外層シート１非対向面２Ａに可変情報記入部欄が形成されているのがよい。このように情報欄を配置すれば、外層シート１と内層シート２と貼合した状態でプリンタ等によって可変情報記入欄に対して容易に文字等を追加的に印字・印刷することができる。
【００２６】
他方、前記内層シート２は、少なくとも前記折り線３で分けられる一方領域２Ｐの周縁部２３が、他の範囲から易切断線としてのハーフスリット２１Ｒにより分離可能とされているとともに、その分離可能とされている部分２３の外層シート１に接する面が離型処理されている。
【００２７】
他方、本形態の情報隠蔽用シートＸ１における内層シート２には、好ましく、前記折り線３で分けられる他方領域２Ｑにも同様にハーフスリット２１Ｌが形成されており、そのハーフスリット２１Ｌは、前記折り線等３で折り返した状態における前記一方のハーフスリット２１Ｒが重なる範囲以内に位置されている。図示例では、前記一方領域のハーフスリット２１Ｒと他方領域のハーフスリット２１Ｌは、折り線等３を介して対象に配されている。
【００２８】
一方の外層シート１における内層シート２の前記周縁部２３で被覆される部分には非剥離性の粘着剤１１Ｎが配されている。この粘着剤配設部１１Ｎと他の部分との境には易切断線としても裂開用ミシン目線１３が形成されており、当該易切断線１３によって粘着剤配設部位１１Ｎは分離可能とされている。なお、易切断線は裂開用ミシン目線に限られずハーフスリットなどでもよい。
【００２９】
従って、図２に示すように、前記内層シート２の一方領域２Ｐの周縁部２３をハーフスリット２１Ｒで分離しつつ外層シート１から剥離すると、情報隠蔽用シートＸ１は、その折り線等３で分けられる一方領域の周縁部に外層シート１の粘着部１１Ｎが露出される。
【００３０】
そして、この粘着部１１Ｎを露出させた状態で前記折り線等３で折り返すと、図３に示すように内層シート２が折り畳み内面となった状態で袋とじ状に接着されて前記隠蔽情報記入部（図示しない）に記入した情報が隠蔽される。
【００３１】
折り線３にミシン目を設ける場合には、外層シートが折り線で裂けないように、紙の厚さによってミシン目の幅、深さを調整することが望ましい。また、内層シートを複数枚有するときも同様に、ミシン目の幅、深さを調整することが望ましい。
本形態では、この状態において、例えば前記露出部２０Ａに設けた宛名欄Ａを頼りに隠蔽情報を読み取るべき者に送付するなどすることができる。
【００３２】
そして隠蔽情報を読み取る際には、図４に示すように、前記外層シート２の裂開用ミシン目線１３を裂開して開封することで接着している粘着部のみが分離される。
【００３３】
このとき内層シート２と外層シート１とは折り線３近傍を除いて剥離可能に接着されているから、図５に示すように、折り線等３を介して分けられた外層シート１の粘着部配置側とこれに貼合されていた内層シート２のハーフスリット２１Ｒ内範囲が自由片となって冊子状に展開される。
【００３４】
さらに、本形態においては、図５に示されているおり、上述のとおり内層シート１の他方領域２Ｑにもハーフスリット２１Ｌが形成されているため、このハーフスリット２１Ｌで粘着部が重なっている部分を分離させつつ外層シート１から剥離することで、さらに自由片が増え合計４枚の自由片を有する冊子状に展開される。
【００３５】
なお、前記外層シート１の内層シート非対向面１Ｂには、好ましく地紋印刷を施す。このように地紋印刷を施すと折り畳み内面に位置する情報が外面からいっそう読み取り難くなり、隠蔽性が高まる。なお、この外層シート１の内層シート２の非対向面１Ｂに、宛名情報等の非隠蔽情報記入部を形成してもよい。
【００３６】
ここで外層シート１および内層シート２は、古紙を原料とする再生紙あるいはバージンパルプを原料とする非再生紙あるいは合成紙やフィルム等  プリンター印字可能なシートであればいずれをも用いることができる。また、パルプを原料とする基紙の抄紙方法は、特に限定されず、洋紙の一般的な抄紙技術により抄紙することができる。原料パルプをスラリー化したのち、長網抄紙機、丸網抄紙機、ツインワイヤータイプの抄紙機、多層抄の抄紙機等の抄紙機等を使用して抄紙すればよい。さらに、これらの基紙表面には必要に応じて印刷、プリンター適性の向上等を目的に塗工層を設けてもよい。
【００３７】
他方、前記接着部は、外層シート１の内層シート対向面１Ａに接着剤を塗布することにより形成されており、外層シート１全体に非剥離性粘着剤や剥離性粘着剤を塗布した後、網点印刷などの方法により、糊殺し剤あるいは離型剤を塗布して当該範囲の接着力を接着対象物（本形態では内層シート）に対して再剥離可能な程度にまで抑制する方法によって部分的な剥離が可能となるように形成する。ここでの粘着剤としては、特開２００３−２７０２６、特開２００４−２１７８３８に開示される剥離性粘着剤、アクリル酸アルキルエステルを含有したアクリル共重合水性エマルジョン等の剥離性接着剤、エマルジョン系強粘着剤、ゴム系粘着剤、溶剤系粘着剤等の非剥離性粘着剤が使用可能である。
【００３８】
各種粘着剤の塗布は、エアナイフコーター、ブレードコーター、ロッドメタリングコーター、カーテンコーター、ロールコーター等の従来各種塗工機による塗工によって塗布することができる。特に、模様印刷あるいはベタ印刷によって離型剤の塗布量や塗布分布を適宜調整することが容易なオフセット印刷、グラビア印刷、凸版印刷、凹版印刷など各種印刷による印刷塗工が好適である。
【００３９】
他方、粘着剤の接着力を抑制するため、また、内層シート周縁部を外層シートから剥離可能にすべく離型処理するために用いられる離型剤としては、シリコン、長鎖アルキルポリマー、ポリオレフィン、アルキド樹脂、フッ素化合物等が挙げられる。
【００４０】
離型剤の塗布方法は、エアナイフコーター、ブレードコーター、ロッドメタリングコーター、カーテンコーター、ロールコーター等の従来各種塗工機による塗工やオフセット印刷、グラビア印刷、凸版印刷、凹版印刷等の従来各種印刷機による印刷塗工によって塗布することができるが、特に、模様印刷あるいはベタ印刷によって離型剤の塗布量や塗布分布を適宜調整することが容易なオフセット印刷、グラビア印刷、凸版印刷、凹版印刷など各種印刷による印刷塗工が好適である。
【００４１】
＜第２の実施の形態＞
次いで、本発明の第２の実施の形態Ｘ２を説明する。第２の形態Ｘ２は、図６に示す。この形態Ｘ２は、内層シート２がノーカーボン紙とされている例である。本形態においては、その内層シート２における折り線等３がハーフスリットやミシン目線等の簡易に切断できる線で構成されており、一方領域２Ｐが他方範囲２Ｑと容易に分離可能となっている。その他の構成については、上記第１の実施の形態と同様であるので説明は省略する。
【００４２】
本形態では、内層シート２の一方領域２Ｐに筆記具又はインパクトプリンタにより記入した情報が、外層シート１の内層シート対向面１Ａに複写される。
そして、前記内層シート２の一方領域２Ｓのみを分離することで、その分離された部分を「控え書」として残すことが可能である。なお、ノーカーボン紙ではなくカーボン紙であってもよい。
【００４３】
本形態では、隠蔽後に外層シートの裂開用ミシン目線１３を裂開して展開すると、内装シートの一方領域２Ｐがすでに剥離されているため、合計３枚の自由片を有する状態になる。
【００４４】
＜第３の実施形態＞
次いで、本発明の第３の実施の形態Ｘ３を説明する。第３の形態Ｘ３は、図７に示す。この形態Ｘ３は、内層シート２の折り線等３で分けられる一方領域２Ｐの周縁部に熱又は圧力により剥離不能又は再剥離可能に接着する易接着部２５が配され、この易接着部２５が裂開用ミシン目線若しくはハーフスリット等の易切断線２１Ｒによって分離可能とされている例である。
【００４５】
この例では内層シート２は、外層シート１に配された粘着部に対面する部分に剥型処理がされていない。前記外層シート１は、内層シート２の前記易接着部２５と重なる部分が裂開用ミシン目線（易切断線）１３によって分離可能とされている。
その他の構造については、第１の実施の形態と同様であるので説明は省略する。
【００４６】
本形態では、外層シート１の粘着部を露出させることなく折り畳みの後に、当該易接着部２５に圧力や熱を加えることで袋とじ状態の隠蔽状態となる。
展開作業及び展開後の状態については第１の実施の形態と同様である。
【００４７】
＜第４の実施形態＞
次いで、第４の実施の形態Ｘ４を説明する。第４の形態Ｘ４は図８及び９に示す。この形態Ｘ４は、内層シート２を複数枚有する例である。各内層シート同士は剥離可能に貼合されているとともに、最も外層シートに近い内層シート１が外層シート２と貼合される。
【００４８】
他方、各内層シート同士は、少なくとも前記折り線等３で分けられる一方領域２Ｓの周縁部が他の範囲からハーフスリット等によって分離可能とされているとともに、隣接する内層シート同士は、前記周縁部においては上述の非剥離性接着剤等によって剥離不能に接着されている。
【００４９】
また、本形態では好ましく各内層シート同士がその折り線近傍において剥離不能に接着されている。
その他の構成については、第１の実施の形態と同様である。
【００５０】
本形態では、外層シート１の裂開用ミシン目線１３を裂開して展開すると、外層シート×２と重ねた内層シート２の枚数×２の数の自由片が得られる。従って複数の内層シートの表裏面に記入した情報をすべて隠蔽することができるとともに、読み取り時には冊子状となるので、大量の隠蔽情報を簡易に取り扱うことができる。
【００５１】
なお、複数枚の内層シート２を設ける場合には、そのうちの１枚をカーボン紙又は複数枚をノーカーボン紙とするとともに、そのカーボン紙等で構成される内層シートの一部をミシン目線、ハーフスリット等により分離可能に構成すれば、第２の実施の形態と同様に、当該分離部分を「控え書」とすることができる。
【産業上の利用可能性】
【００５２】
本発明は、親展情報を記載して郵送する親展葉書、支給金額を記載して給与受取人に渡す給料明細書、クレジット番号が記載された売上伝票など、特定人にのみ隠蔽情報を開示することが要求される用途において、利用可能である。
【図面の簡単な説明】
【００５３】
【図１】第１の実施の形態の情報隠蔽用シートの平面図である。
【図２】その内層シートの周縁部を剥離した状態を示す図である。
【図３】その後に折り線で折り返した状態の図である。
【図４】その後に外層シートの易切断線を裂開した展開した状態の図である。
【図５】さらに内層シートと外層シートとを剥離して裂開した状態の図である。
【図６】第２の実施の形態の情報隠蔽用シートの正面図である。
【図７】第３の実施の形態にかかる情報隠蔽シートの正面図である。
【図８】第４の実施の形態にかかる情報隠蔽シートの正面図である。
【図９】第４の実施の形態の展開状態を示す図である。
【符号の説明】
【００５４】
１…外層シート、１Ａ…外層シートの内層シート対向面、２…内層シート、２Ａ…内層シートの外層シート非対向面、２Ｐ…内層シートの一方領域、２Ｑ…内層シートの他方領域、３…折り線、１１…接着部、１１Ｎ…粘着剤配置部、１３…外層シートの裂開用ミシン目線、２０Ａ…露出部分、Ａ…宛名欄、２１Ｒ，２１Ｌ…内層シートのハーフスリット、２３…内層シートの周縁部、２５…内層シートの易接着部、Ｘ１〜Ｘ４…情報隠蔽用シート。
【図１】
0005171372.tif 000002
【図２】
0005171372.tif 000003
【図３】
0005171372.tif 000004
【図４】
0005171372.tif 000005
【図５】
0005171372.tif 000006
【図６】
0005171372.tif 000007
【図７】
0005171372.tif 000008
【図８】
0005171372.tif 000009
【図９】
0005171372.tif 000010